【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
個体の開口部または体腔に導入するための医療機器（１）であって、該医療機器（１）が、細長い第１の中空体（２）と、該第１の中空体（２）を収容した細長い第２の中空体（３）とを備えており、第１の中空体（２）の、個体の開口部または体腔に導入するために設けられた遠位端が突出した、第２の中空体（３）の一方の端部と、第１の中空体（２）との間に、半径方向に延びる段状の移行部（５）が存在しており、第１の中空体（２）の遠位端が、第２の中空体（３）にまで延びて段状の移行部（５）を形成する先端部材（４）として形成されているかまたは先端部材（４）を有している、個体の開口部または体腔に導入するための医療機器において、
前記先端部材（４）と第２の中空体（３）との間に、長手方向に移動可能な形状付与装置（６，７；６，１０）が収容されており、
該形状付与装置（６，７；６，１０）は、段状の移行部（５）の領域において、前記長手方向での移動によって、先端部材（４）が段状の移行部（５）に向かって半径方向で該段状の移行部（５）を少なくとも十分に解消しながら無段の移行部（９）に拡張可能であり、かつ／または第２の中空体（３）が段状の移行部（５）に向かって半径方向で該段状の移行部（５）を少なくとも十分に解消しながら無段の移行部（９）に収縮可能であるように成形されていることを特徴とする、個体の開口部または体腔に導入するための医療機器。
【請求項２】
形状付与装置（６，７；６，１０）が、形状付与部材（６）を有しており、該形状付与部材（６）が、先端部材（４）と第２の中空体（３）との間の段状の移行部（５）に向かって運動させられる領域の外面に、押圧部分（７）を有しており、該押圧部分（７）によって、先端部材（４）と第２の中空体（３）との間の隣接領域において、半径方向に相対的に小さな外寸を有する先端部材（４）が、第２の中空体（３）の半径方向における相対的に大きな外寸にまで拡張可能である、請求項１記載の医療機器。
【請求項３】
形状付与装置（６，７；６，１０）が、形状付与部材（６）を有しており、該形状付与部材（６）が、先端部材（４）と第２の中空体（３）との間の段状の移行部（５）に向かって運動させられる領域の外面に、凹設部分（１０）を有しており、該凹設部分（１０）によって、先端部材（４）と第２の中空体（３）との間の隣接領域において、半径方向に相対的に大きな外寸を有する第２の中空体（３）が、半径方向に相対的に小さな外寸を有する先端部材（４）にまで収縮可能である、請求項１または２記載の医療機器。
【請求項４】
両中空体（２，３）のうちの少なくとも一方の中空体と形状付与装置（６，７；６，１０）とに、スライド機構（１１）が結合されており、該スライド機構（１１）の操作によって、形状付与装置（６）が、両中空体（２，３）のうちの前記少なくとも一方の中空体に対して相対的に該中空体の長手方向に移動可能である、請求項１から３までのいずれか１項記載の医療機器。
【請求項５】
スライド機構（１１）が、両中空体（２，３）のうちの前記一方の中空体に結合された収容部材（１２）と、形状付与装置（６，７；６，１０）に結合された当付け部材（１３）とから成っており、該当付け部材（１３）が、収容部材（１２）により収容可能であって、該収容部材（１２）に対して相対的に中空体長手方向に移動可能である、請求項４記載の医療機器。
【請求項６】
スライド機構（１１）が、収容部材（１２）と当付け部材（１３）との間にロック装置（１８，１９）を有しており、該ロック装置（１８，１９）によって、収容部材（１２）への当付け部材（１３）のロック後に初めてまたはロックの最中に、両中空体（２，３）のうちの前記少なくとも一方の中空体に対して相対的な形状付与装置（６，７；６，１０）の移動が可能となる、請求項５記載の医療機器。
【請求項７】
医療機器（１）が、医療用のダイレータ（１）として形成されており、該医療用のダイレータ（１）の、個体の開口部または体腔に導入するために用いられる遠位端に、第１の中空体（２）として、先端部材（４）として形成されたかまたは先端部材（４）に結合されたダイレータチューブ（２）が設けられており、該ダイレータチューブ（２）が、第２の中空体（３）としての外側チューブ（３）によって収容されており、該外側チューブ（３）とダイレータチューブ（２）との間に、長手方向に移動可能な形状付与装置（６，７；６，１０）が収容されている、請求項１から６までのいずれか１項記載の医療機器。
【請求項８】
第１の中空体（２）と形状付与装置（６）とが、第２の中空体（３）の内寸との間に中間室（２２）を形成するような外寸を有する第３の中空体（２１）によって置換え可能であり、中間室（２２）が、第３の中空体（２１）を通して個体の開口部または体腔に洗浄液を放出した際に、当該開口部または当該体腔から流出した、場合により固形物を一緒に運ぶ洗浄液のための戻し通路として利用可能である、請求項１から７までのいずれか１項記載の医療機器。
【請求項９】
第２の中空体（３）と第３の中空体（２１）とを含む中空体（３，２１）のうちの少なくとも一方の中空体に、スライド機構（１１）が結合されており、該スライド機構（１１）の操作によって、第３の中空体（２１）が、第２の中空体（３）内への導入後に長手方向に移動可能である、請求項８記載の医療機器。
【請求項１０】
スライド機構（１１）が、第２の中空体（３）と第３の中空体（２１）とを含む中空体（２，２１）のうちの前記少なくとも一方の中空体に結合された収容部材（１２）と、他方の中空体に結合された当付け部材（１３）とから成っており、該当付け部材（１３）が、収容部材（１２）により収容可能であって、該収容部材（１２）に対して相対的に中空体長手方向に移動可能である、請求項９記載の医療機器。
【請求項１１】
スライド機構（１１）が、収容部材（１２）と当付け部材（１３）との間にロック装置（１８，１９）を有しており、該ロック装置（１８，１９）によって、当付け部材（１３）が収容部材（１２）にロックされるまでしか、第２の中空体（３）に対して相対的な第３の中空体（２１）の移動が可能とならない、請求項１０記載の医療機器。
【請求項１２】
先端部材（４）が、機器遠位端に設けられた剛性的な先端部分（４１）と、該先端部分（４１）に機器近位端に向かって続く半径方向に拡張可能な移行部分（４２）であって、形状付与装置（６）の移動により、第２の中空体（３）と共に段状の移行部（５）を形成する第１の位置から、第２の中空体（３）と共に無段の移行部を形成する第２の位置に拡張可能である移行部分（４２）とによって形成されていて、
形状付与装置（６）の外面と第２の中空体（３）の内面との間に中間室（２２’）が存在している場合に、
第１の中空体（２）をその先端部材（４）を含めて取り外して、前記中間室（２２’）を機器遠位端に向かって露出させた後、形状付与装置（６）の内室が、個体の開口部または体腔に洗浄液を放出するための洗浄通路として利用可能であり、かつ前記中間室（２２’）が、前記開口部または前記体腔から流出した、場合により固形物を一緒に運ぶ洗浄液のための戻し通路として利用可能である、請求項１から７までのいずれか１項記載の医療機器。
【請求項１３】
第１の中空体（２）が、機器近位端でロック機構（４６）によって解離可能に固持されている、請求項１２記載の医療機器。
【請求項１４】
先端部材（４）が、機器遠位端に設けられた剛性的な先端部分（４１）と、該先端部分（４１）に機器近位端に向かって続く半径方向に拡張可能な移行部分（４２）であって、形状付与装置（６）の移動により、第２の中空体（３）と共に段状の移行部（５）を形成する第１の位置から、第２の中空体（３）と共に無段の移行部を形成する第２の位置に拡張可能である移行部分（４２）とによって形成されていて、
形状付与装置（６）の外面と第２の中空体（３）の内面との間に中間室（２２’）が存在している場合に、
先端部材（４）だけを取り外して、前記中間室（２２’）を機器遠位端に向かって露出させた後、第１の中空体（２）の内室が、個体の開口部または体腔に洗浄液を放出するための洗浄通路として利用可能であり、かつ前記中間室（２２’）が、前記開口部または前記体腔から流出した、場合により固形物を一緒に運ぶ洗浄液のための戻し通路として利用可能である、請求項１から７までのいずれか１項記載の医療機器。
【請求項１５】
先端部材（４）が、第１の中空体（２）に、解離可能な結合装置（５１，５２）によって結合されている、請求項１４記載の医療機器。